(57)【要約】【課題】  チップ部品が実装される先端基板部を有する折曲げアーム片を折り返して、その先端基板部を表示パネルの端子部上に配置するフレキシブル基板において、折曲げアーム片を簡単な作業にて確実に固定できるようにする。【解決手段】  表示パネル１０の端子部１１に接続される電極接続部２０１を有する主配線部２１と、その側辺に連設された分岐片２２とを備え、分岐片２２には主配線部２１の側辺からほぼ直角に分岐された第１分岐アーム片２２Ａと、第１分岐アーム片２２Ａの反端子部側の側辺から引き出されチップ部品実装用の先端基板部２２１を有する第２分岐アーム片２２Ｂとが含まれ、主配線部２１が端子部１１に接続されるに伴って、第２分岐アーム片２２Ｂが第１分岐アーム片２２Ａ側に折り返されて先端基板部２２１が端子部１１上に配置されるフレキシブル基板において、第１分岐アーム片２２Ａに第２分岐アーム片２２Ｂを潜らせて係止する切り込み溝２５からなる係止手段を設ける。【選択図】  図１
2006310447.tif 000002
【特許請求の範囲】
【請求項１】
表示パネルの端子部のリード電極に接続される電極接続部を有する主配線部と、上記主配線部の側辺に連設された分岐片とを備え、上記分岐片には、上記主配線部の側辺からほぼ直角に分岐された第１分岐アーム片と、上記第１分岐アーム片の反端子部側の側辺から引き出されチップ部品実装用の先端基板部を有する第２分岐アーム片とが含まれ、上記主配線部が上記端子部に接続されるに伴って、上記第２分岐アーム片が上記第１分岐アーム片側に折り返されて上記先端基板部が上記端子部上に配置されるフレキシブル基板において、
上記第１分岐アーム片には、上記第２分岐アーム片を潜らせて係止する切り込み溝からなる係止手段が設けられていることを特徴とするフレキシブル基板。
【請求項２】
上記係止手段が、上記第１分岐アーム片の端子部側の側辺から切り込まれたＴ字状の切り込み溝からなる請求項１に記載のフレキシブル基板。
【請求項３】
上記係止手段が、上記第１分岐アーム片の端子部側の側辺から切り込まれた逆Ｌ字状の切り込み溝からなる請求項１に記載のフレキシブル基板。
【請求項４】
上記係止手段が、上記第１分岐アーム片の両側辺間で切り込まれたエ字状の切り込み溝からなる請求項１に記載のフレキシブル基板。
【請求項５】
上記係止手段が、上記第１分岐アーム片の両側辺間で上記第２分岐アーム片の幅方向とほぼ平行に切り込まれた少なくとも１つの切り込み溝を備える請求項１に記載のフレキシブル基板。
【請求項６】
上記切り込み溝が、当該フレキシブル基板の配線材にて縁取られている請求項１ないし５のいずれか１項に記載のフレキシブル基板。
【請求項７】
表示パネルの端子部に、上記請求項１ないし６のいずれか１項に記載のフレキシブル基板が接続されている表示装置。
【発明の詳細な説明】
【技術分野】
【０００１】
本発明は、フレキシブル基板および同フレキシブル基板が接続された表示装置に関し、さらに詳しく言えば、フレキシブル基板の分岐片に実装されているチップ部品を表示パネルの端子部上に配置する技術に関するものである。
【背景技術】
【０００２】
表示装置のうち、液晶を使用する液晶表示パネルでは、液晶セルの応答時間は液晶の粘度に比例し、液晶の粘度は温度に依存する。したがって、良好な表示を維持するには、温度によって液晶に印加する駆動電圧を変化させる必要がある。
【０００３】
そのため、通常、液晶表示パネルには、サーミスタなどの温度センサが設けられており、温度センサで検出された温度信号を温度補償回路に与えて、常に最適な駆動電圧を印加するようにしている。
【０００４】
液晶表示パネルの温度を正確に検出するには、温度センサを液晶表示パネルに直接取り付けることが最も好ましいが、近年の厳しい小型化の状況にあっては、液晶表示パネル自体に温度センサを取り付け得る箇所を見い出すことは難しい。また、仮に取り付けスペースが確保できたとしても、温度センサの配線をどのように引き回すのかが問題となる。
【０００５】
そのため、特許文献１に記載されているように、液晶表示パネルの端子部に接続されるフレキシブル基板に端子部側に向かう分岐片を設けて、その分岐片に温度センサを実装し、フレキシブル基板を液晶表示パネルの端子部に接続するに伴って、分岐片を介して温度センサを端子部上に配置するようにしている。
【０００６】
このようにして、温度センサを端子部上に配置する場合、温度センサを広く空気に晒すようにするため、分岐片の反実装面側を裏として端子部上に載置することが好ましい。これを安価な片面印刷のフレキシブル基板で実現するには、分岐片の温度センサが実装されている部分を１８０゜折り返す手法が採られる。
【０００７】
その一例を図５（ａ）（ｂ）により説明する。図５（ａ）は、液晶表示パネル１０の端子部１１と、端子部１１に接続されるフレキシブル基板２０とを分離して示す模式的な平面図，図５（ｂ）はフレキシブル基板２０を端子部１１に取り付けた状態を模式的に示す平面図で、図５（ａ）（ｂ）ともに、フレキシブル基板２０はそのベースフィルム側から見ており、配線はベースフィルムの裏面側に形成されている。
【０００８】
液晶表示パネル１０の端子部１１には、図示しない表示部内の透明電極に連なる多数のリード電極１２が形成されている。なお、ＣＯＧ（Ｃｈｉｐ  ｏｎ  ｇｌａｓｓ）型の場合には、端子部１１に液晶駆動用のＩＣ（もしくはＬＳＩ）チップが実装される。
【０００９】
フレキシブル基板２０には、ＴＣＰ（ｔａｐｅ  ｃａｒｒｉｅｒ  ｐａｃｋａｇｅ）もしくはＣＯＦ（ｃｈｉｐ  ｏｎ  ｆｉｌｍ）などが用いられる。この場合、フレキシブル基板２０は片面印刷基板であって、一端に上記リード電極１２と接続される電極接続部２０１を有する主配線部２１のほかに、温度センサが実装される分岐片２２を備える。
【００１０】
分岐片２２には、主配線部２１の一方の側辺からほぼ直角に引き出された引き出しアーム片２２Ａと、引き出しアーム片２２Ａの反端子部側の辺から端子部１１とは反対側に向かうように延ばされた折曲げアーム片２２Ｂとが含まれ、折曲げアーム片２２Ｂの先端基板部２２１に、温度センサとして例えばチップ状のサーミスタ３０が実装される。図５（ａ）において、サーミスタ３０は先端基板部２２１の裏面側に実装される。
【００１１】
フレキシブル基板２０を端子部１１に取り付けるには、図５（ｂ）に示すように、フレキシブル基板２０の電極接続部２０１を図示しない例えば異方性導電フィルムまたはＵＶ異方性導電材を介して端子部１１に接続するとともに、折曲げアーム片２２Ｂを端子部１１側に折り返して先端基板部２２１を端子部１１の所定位置に配置する。
【００１２】
このようにして、サーミスタ３０が表面に出た状態で端子部１１上に配置されるが、折曲げアーム片２２Ｂが折り曲げ部分の復元力にて元に戻らないようにするため、例えば先端基板部２２１と折曲げアーム片２２Ｂの付け根部分とに両面接着（粘着）テープ２３を設けて、折り曲げ時に、それらの両面接着テープ２３により先端基板部２２１を端子部１１に固定し、また、折曲げアーム片２２Ｂを引き出しアーム片２２Ａに固定するようにしている。
【００１３】
【特許文献１】特開２００４−２３３８６２号公報
【発明の開示】
【発明が解決しようとする課題】
【００１４】
しかしながら、両面接着テープ２３による固定では、その接着力（粘着力）が温度などにより低下し、また、経年的にも劣化するため信頼性に乏しい。したがって、外的衝撃などにより容易に剥がれ、サーミスタ３０が端子部１１から外れてしまうことがある。
【００１５】
したがって、本発明の課題は、チップ部品が実装される先端基板部を有する折曲げアーム片を折り返して、その先端基板部を表示パネルの端子部上に配置するフレキシブル基板において、折曲げアーム片を簡単な作業にて確実に固定できるようにすることにある。
【課題を解決するための手段】
【００１６】
上記課題を解決するため、請求項１に記載の発明は、表示パネルの端子部のリード電極に接続される電極接続部を有する主配線部と、上記主配線部の側辺に連設された分岐片とを備え、上記分岐片には、上記主配線部の側辺からほぼ直角に分岐された第１分岐アーム片と、上記第１分岐アーム片の反端子部側の側辺から引き出されチップ部品実装用の先端基板部を有する第２分岐アーム片とが含まれ、上記主配線部が上記端子部に接続されるに伴って、上記第２分岐アーム片が上記第１分岐アーム片側に折り返されて上記先端基板部が上記端子部上に配置されるフレキシブル基板において、上記第１分岐アーム片には、上記第２分岐アーム片を潜らせて係止する切り込み溝からなる係止手段が設けられていることを特徴としている。
【００１７】
上記請求項１に記載の発明には、好ましい態様として、上記係止手段が上記第１分岐アーム片の端子部側の側辺から切り込まれたＴ字状の切り込み溝からなる請求項２に記載の態様と、上記係止手段が上記第１分岐アーム片の端子部側の側辺から切り込まれた逆Ｌ字状の切り込み溝からなる請求項３に記載の態様と、上記係止手段が上記第１分岐アーム片の両側辺間で切り込まれたエ字状の切り込み溝からなる請求項４に記載の態様と、上記係止手段が上記第１分岐アーム片の両側辺間で上記第２分岐アーム片の幅方向とほぼ平行に切り込まれた少なくとも１つの切り込み溝を備える請求項５に記載の態様と、上記切り込み溝が当該フレキシブル基板の配線材にて縁取られている請求項６に記載の態様とが含まれる。
【００１８】
また、本発明には、請求項７に記載されているように、表示パネルの端子部に、上記請求項１ないし６のいずれか１項に記載のフレキシブル基板が接続されている表示装置が含まれる。
【発明の効果】
【００１９】
本発明によれば、第１分岐アーム片に、第２分岐アーム片を潜らせて係止する切り込み溝からなる係止手段を設けたことにより、第２分岐アーム片を第１分岐アーム片側に折り返して、第２分岐アーム片の先端基板部を端子部上に配置する際、第２分岐アーム片を切り込み溝に潜らせるだけの簡単な作業により、第２分岐アーム片を確実に固定することができる。
【発明を実施するための最良の形態】
【００２０】
次に、図１ないし図４を参照して、本発明の実施形態について説明するが、本発明はこれに限定されるものではない。図１は本発明に係るフレキシブル基板と表示パネルとを分離して示す平面図，図２は本発明の要部を示す側面図，図３はフレキシブル基板を表示パネルに接続した状態での要部を示す平面図，図４（ａ）〜（ｄ）は係止手段に含まれる切り込み溝の変形例を示す模式図である。なお、先の図５で説明した従来例と同一もしくは同一とみなせる構成要素にはそれと同じ参照符号を用いている。
【００２１】
図１を参照して、この実施形態では、フレキシブル基板２０を上記従来例と同じく液晶表示パネル１０の端子部１１に接続する場合について説明するが、フレキシブル基板２０を接続する表示パネルは、液晶表示パネル以外の有機ＥＬパネルもしくはプラズマディスプレイなどであってよい。
【００２２】
本発明においても、フレキシブル基板２０は片面印刷基板で、図１にはベースフィルム側が示され、必要な配線は図１の裏面側に形成されている。フレキシブル基板２０は、主配線部２１と、主配線部２１の側辺に連設された分岐片２２とを備える。主配線部２１の一端側には、端子部１１のリード電極１２と接続される電極接続部２０１が設けられ、主配線部２１の他端側には、図示しないコネクタに差し込まれる接続片２０２が設けられている。
【００２３】
分岐片２２には、主配線部２１の一方の側辺からほぼ直角に引き出された引き出しアーム片（第１分岐アーム片）２２Ａと、引き出しアーム片２２Ａの反端子部側の側辺２２Ａａから引き出された折曲げアーム片（第２分岐アーム片）２２Ｂとが含まれている。
【００２４】
折曲げアーム片２２Ｂは、端子部１１とは反対側に引き出され、その先端には先端基板部２２１が形成されている。先端基板部２２１の部品実装面は図１の裏面側で、その部品実装面に温度センサとしてのサーミスタ３０が実装される。
【００２５】
そのため、先端基板部２２１を端子部１１上に配置する際には、折曲げアーム片２２Ｂを端子部１１側に折り返すことになるが、折曲げアーム片２２Ｂは、先端基板部２２１が端子部１１上の所定位置に配置される所定の長さを有している。
【００２６】
引き出しアーム片２２Ａは、折曲げアーム片２２Ｂを折り返した状態に固定する切り込み溝２５からなる係止手段を備える。この例において、切り込み溝２５は、引き出しアーム片２２Ａの端子部側の側辺２２Ａｂからほぼ垂直に切り込まれた縦スリット２５ａと、縦スリット２５ａの先端から折曲げアーム片２２Ｂの幅方向とほぼ平行に切り込まれた横スリット２５ｂとを有するＴ字状に形成されている。
【００２７】
横スリット２５ｂは、折曲げアーム片２２Ｂの最大幅ｘよりも大きな長さとして形成されるが、必ずしも縦スリット２５ａに対して直交させる必要はなく、縦スリット２５ａに対して所定の傾きをもっていてもよい。
【００２８】
各スリット２５ａ，２５ｂからベースフィルムに亀裂が入るのを防止するため、各スリット２５ａ，２５ｂの周縁に沿って配線材である例えば銅箔により補強用の縁取り部２６を形成することが好ましい。この縁取り部２６は、亀裂が入りやすい少なくとも横スリット２５ｂの隅に形成されればよい。配線材に代えて、例えば樹脂材にて縁取り部２６を形成することもできる。
【００２９】
また、折曲げアーム片２２Ｂの固定をより確実なものとするため、上記従来例と同じく、先端基板部２２１の反実装面側と、折曲げアーム片２２Ｂの付け根部分に両面接着テープ２３ａ，２３ｂを設けてもよい。
【００３０】
フレキシブル基板２０を液晶表示パネル１０の端子部１１に接続するにあたっては、まず、フレキシブル基板２０の電極接続部２０１を例えば図示しない異方性導電フィルムを介して端子部１１のリード電極１２に接続する。
【００３１】
次に、図２に示すように、折曲げアーム片２２Ｂを端子部１１側に向けて折り返し、切り込み溝２５を潜らせたうえで、図３に示すように、先端基板部２２１をサーミスタ３０が表面に出るようにして端子部１１上の所定位置に配置し、先端基板部２２１を両面接着テープ２３ａを介して端子部１１に貼着し、また、折曲げアーム片２２Ｂの付け根部分を両面接着テープ２３ｂを介して引き出しアーム片２２Ａに貼着する。
【００３２】
これによれば、両面接着テープ２３ａ，２３ｂの接着力が劣化したとしても、折曲げアーム片２２Ｂが切り込み溝２５によって押さえられているため、サーミスタ３０が端子部１１から外れてしまうおそれはない。また、作業的には、縦スリット２５ａの両側辺を開くことにより、折曲げアーム片２２Ｂを容易に切り込み溝２５に通すことができる。
【００３３】
上記実施形態では、折曲げアーム片２２Ｂを引き出しアーム片２２Ａで係止させる係止手段である切り込み溝２５をＴ字状とした例について説明したが、折曲げアーム片２２Ｂを引き出しアーム片２２Ａに係止できる形状であればよく、その位置および個数も上記実施形態に限定されない。
【００３４】
例えば、図４（ａ）に示すように、切り込み溝２５を縦スリット２５ａの先端から横スリット２５ｂを鉤状に形成した逆Ｌ字状としてもよい。また、図４（ｂ）に示すように、切り込み溝２５を２本の横スリット２５ｂ，２５ｂの中央部分に縦スリット２５ａを入れたエ字状としてもよい。
【００３５】
また、図４（ｃ）に示すように、切り込み溝２５を平行な２本の横スリット２５ｂ，２５ｂとして、折曲げアーム片２２Ｂを２本の横スリット２５ｂ，２５ｂの間を潜らせるようにしてもよい。極端な例としては、図４（ｄ）に示すように、切り込み溝２５を１本の横スリット２５ｂのみとしてもよい。
【００３６】
このように、種々の形状の切り込み溝２５を使用することができるが、切り込み溝２５が例えば図４（ｃ）のような形状の場合には、折曲げアーム片２２Ｂが容易には外れないため、場合によっては両面接着テープを省くことができ、その分、低コスト化が図られ、作業性も改善される。また、リペアもしやすくなる。
【図面の簡単な説明】
【００３７】
【図１】本発明のフレキシブル基板と表示パネルとを分離して示す平面図。
【図２】本発明の要部を示す側面図。
【図３】フレキシブル基板を表示パネルに接続した状態での要部を示す平面図。
【図４】（ａ）〜（ｄ）係止手段に含まれる切り込み溝の変形例を示す模式図。
【図５】（ａ）従来のフレキシブル基板と表示パネルとを分離して示す平面図，（ｂ）フレキシブル基板を表示パネルに接続した状態を示す平面図。
【符号の説明】
【００３８】
１０  液晶表示パネル
１１  端子部
１２  リード電極
２０  フレキシブル基板
２１  主配線部
２０１  電極接続部
２２  分岐片
２２１  先端基板部
２２Ａ  引き出しアーム片
２２Ｂ  折曲げアーム片
２３ａ，２３ｂ  両面接着テープ
２５  切り込み溝
２５ａ  縦スリット
２５ｂ  横スリット
３０  サーミスタ
【図１】
2006310447.tif 000003
【図２】
2006310447.tif 000004
【図３】
2006310447.tif 000005
【図４】
2006310447.tif 000006
【図５】
2006310447.tif 000007